(57)【要約】      （修正有）【課題】戸枠に直接水を流し込み水洗いが容易に出来る戸と戸枠を提供する。【解決手段】戸枠３にはレールが無く、戸１、２、１１には戸車が無く、戸１、２、１１の下部が板状に成っており、その板状の部分が戸枠３の下部の枠の上面に設けられたスリットに入り、更に戸１、２、１１の下部は戸枠３の下部内に設けられた数個のフローティング式のすべり軸受、又はころがり軸受タイプのローラー４〜６に支えられ、その上を転がり移動して戸１、２、１１が開閉する構造のもので、掃除の場合も水洗いや拭き掃除が非常に簡単かつ確実に出来るようになる。【選択図】図４
0003203557.tif 000002
【実用新案登録請求の範囲】
【請求項１】
引違い式の窓戸、出入り口扉及び雨戸等各種の戸と戸枠に於いて、それぞれの戸枠にはレールが無く、戸には戸車が無く、戸の下部が板状に成っており、その板状の部分が戸枠の下部の枠の上面に設けられたスリットに入り、更に戸の下部は戸枠の下部内に設けられた数個の取付けの向きを１８０度反転して組込む事に依り戸当面が替えられる軸付きで二重構造（すべり軸受）のフローティングローラー又はころがり軸受に支えられ、これらのローラー上を転がり移動して戸が開閉する様に成っている各種の戸と戸枠
【考案の詳細な説明】
【技術分野】
【０００１】（現在、金属性の窓戸、窓枠、扉、扉枠、雨戸、雨戸枠等が最も普及しているので、一例としてアルミサッシの窓戸と窓枠にて説明します。）
窓戸に戸車が無く、窓戸の下部が薄くなっており、この薄い部分が窓枠のスリットに入り込み、窓枠内に設けた支持ローラで窓戸を支えるレールが無い窓戸と窓枠
【背景技術】
【０００２】従来、引違い窓戸の下側に戸車が取付けられ、この戸車が窓枠のレール上を転がり、窓戸が開閉するものであった。
【考案の概要】
【０００３】レール付窓枠は、見栄えが悪く、凸凹が有り、つまずく様な事もあった。
更に、レール溝及び窓戸の戸車には塵挨等が溜まり易く、それらの掃除が大変であった。
窓戸の戸車、及び窓枠のレールを無くし、窓戸は窓枠の下部の上側に設けられたスリット内にはめ込み、窓枠内に設けられた支持ローラにて窓戸を支える。
【考案が解決しようとする課題】
【０００４】これは、次の様な欠点があった。
レール付窓枠は、外見上の見栄えが悪く、凸凹が有り、引掛ったり、つまずく様な事もあった。更に、レール溝及び窓戸の戸車には塵挨等が溜まり易く、又繊維状物質等が絡み付く等で、それらの掃除には大変な労力を費やす為、精神面からも掃除を敬遠し、頻度が少なくなる事もあり、益々汚れが蓄積される傾向にあった。
この考案は、以上の欠点を解決する為に、なされたものである。
【課題を解決するための手段】
【０００５】窓戸の戸車、及び窓枠のレールを無くし、窓戸の下部を薄くして、窓枠の下部の上面に設けられたスリット内にはめ込み、窓枠内に設けられた数個の支持ローラにて窓戸を支え、窓枠側面には、ローラ取付け用のカバー付の窓、（又は、窓枠の下部の上面に蓋）を設ける。
【考案の効果】
【０００６】レールが無くなり、窓枠の上面はスリットは有るが平面となる為に、見栄えは一段と良くなり、窓枠の上に腰を掛ける事も出来るようになる。そして、平面なので拭取り掃除が容易に出来る。又、支持ローラ部と枠内の掃除に関しては、支持ローラ取付け用窓カバーを外して（又は、窓枠のスリットから）、水を直接流し込み水洗いが容易に出来、大変簡単に、しかも掃除の出来具合が一段と改良される事になる。
【考案を実施するための形態】
【０００７】                −アルミサッシ（網戸付）の大型窓にて説明します。−
下側の窓枠＃３の内部に数個の支持ローラＡｓｓｙ＃４〜９が小ねじで取付けてあり、窓枠＃３の上部にはスリットが切ってある。そのスリットに窓戸＃１，２及び網戸＃１１の下部がはまり込む。窓枠＃３内部には、強度を保つリブも設けられている。
スリットの幅に関しては、窓戸＃１，２及び網戸＃１１が入ると共に、開閉時のガイドにもなり、又塵挨や雨水の侵入を防止する為のパッキンに相当するものが、窓戸＃１，２及び網戸＃１１に取付けられるので、それらの機能を確保する為に最適な寸法となっている。
支持ローラＡｓｓｙ＃４〜９は、窓戸＃１，２及び網戸＃１１の質量を充分に支える強度と面圧や摩耗に耐えると共に、防錆機能を持つ材料が使用されており、同時に寸法的にも必要な厚みに仕上げられている。更に、支持ローラ＃４〜６は、窓戸＃１，２及び網戸＃１１に対応する様に分割されており、それぞれ個別に交換が可能であると共に、摩耗状況によりそれぞれを軸方向に１８０度反転する事に依り、戸当り面が当り部分の無い部分へと替わる為、１ケの支持ローラが２ケ分の役目をする様に寸法が決められている。又、ベアリング＃８は、ブラケット＃９に取付けられており、その中に軸＃７が入っているが、軸＃７そのものも回転可能な程度の最適なクリアランスが設けられている。支持ローラ＃４〜６は軸＃７の周りを元々回転するものなので、結局支持ローラ＃４〜６は理論的には、フローティングベアリングで支えられている事となり、耐摩耗性の向上を図っている。尚、材料に関しても、金属系，プラスチック系等耐久性と摩擦損失等を考慮した最適のものを採用する事になる。更に、支持ローラ＃４〜６は二重構造である為に、此処にはこれらの代わりにボールベアリング等を組入れる事も可能である。
処で、左右の戸当り部（端部）には、支持ローラの代わりに支持ブロック＃１２が付いており、窓戸の端部を支持する構造になっている。材料は、支持ローラ＃４〜６と同様に考えられている。
窓枠＃３には、内部に支持ローラＡｓｓｙ＃４〜９を取付ける為に、窓カバー＃１０が設けられているが、水洗い掃除の時、これを取外して洗浄水を入れたり、流し出す事となる。
又、水は、上部のスリットからも入れられる。従い、窓枠＃３内部のリブも、洗浄水の流れを考慮したリブの形状となっており、所々切欠きを設けている。尚、窓カバー＃１０には、雨水等の水抜き穴も設けられている。
窓戸＃１，２及び網戸＃１１の最上部は外れ止めにて、従来通りに上下方向の寸法調整を行う構造であり、外部シャッター等も追加可能となる様に窓枠には裏地が取付けられている。
【図面の簡単な説明】
【図１】  本考案の斜視図を示す。
【図２】  窓戸と支持ローラの斜視図を示す。
【図３】  窓戸と窓枠の正面図を示す。
【図４】  支持ローラ部の断面図（断面Ａ−Ａ）を示す。
【図５】  リブ部の断面図（断面Ｂ−Ｂ）を示す。
【図６】  リブ切欠き部の断面図（断面Ｃ−Ｃ）を示す。
【図７】  戸枠端部の断面図（断面Ｄ−Ｄ）を示す。
【図８】  支持ローラ部の平面図（断面図）を示す。
【図９】  支持ローラ部の側面図を示す。
【図１０】  窓カバーを示す。
【図１１】  戸枠端部、支持ブロックの側面図を示す。
【符号の説明】  １  窓戸（右側用）
２  窓戸（左側用）
３  窓枠（下部用）
４  支持ローラ（窓戸用）
５  支持ローラ（窓戸用）
６  支持ローラ（網戸用）
７  軸        ８  ベアリング        ９  ブラケット        １０  窓カバー
１１  網戸    １２  支持ブロック    １３  押エ金
【図１】
0003203557.tif 000003
【図２】
0003203557.tif 000004
【図３】
0003203557.tif 000005
【図４】
0003203557.tif 000006
【図５】
0003203557.tif 000007
【図６】
0003203557.tif 000008
【図７】
0003203557.tif 000009
【図８】
0003203557.tif 000010
【図９】
0003203557.tif 000011
【図１０】
0003203557.tif 000012
【図１１】
0003203557.tif 000013